(57)【要約】      （修正有）【課題】光の入射方向にかかわらず、入射方向以外の方向への反射光を抑制可能な、太陽電池モジュール及び太陽電池モジュールの製造方法を提供する。【解決手段】電池セルに入射する光により発電する太陽電池モジュールＭ１において、電池セルを有するセル組立体Ａ１、Ａ２、Ａ３の表面、又は電池セルＢの入射面側に配置された保護材Ｐの表面に、入射光をその入射方向と平行な方向へ反射させる再帰性反射面を形成する。これにより、再帰性反射面で入射光がその入射方向と平行な方向へ反射されることにより、入射方向と平行以外の方向への反射光を抑制する。【選択図】図１
2014154831.tif 000002
【特許請求の範囲】
【請求項１】
電池セルに入射する光により発電する太陽電池モジュールにおいて、
前記電池セルを有するセル組立体の表面、又は前記電池セルの入射面側に配置された保護材の表面に、入射光をその入射方向と平行な方向へ反射させる再帰性反射面が形成されている、太陽電池モジュール。
【請求項２】
前記再帰性反射面は、互いに直角に接合された３つの反射面により形成されている、請求項１に記載の太陽電池モジュール。
【請求項３】
前記再帰性反射面を複数配列して形成されている、請求項２に記載の太陽電池モジュール。
【請求項４】
電池セルを有するセル組立体の表面、又は前記電池セルの入射面側に配置された保護材の表面に、入射光をその入射方向と平行な方向へ反射させる再帰性反射面が形成されている太陽電池モジュールの製造方法において、
前記再帰性反射面を形成するための成形型の成形面に電池材料を所定層数分積層する積層工程と、
前記電池材料を少なくとも１層分積層した後に、硬化した前記電池材料を前記成形型から離型する離型工程と、
を含む、太陽電池モジュールの製造方法。
【発明の詳細な説明】
【技術分野】
【０００１】
本発明は、太陽電池モジュール及び太陽電池モジュールの製造方法に関する。
【背景技術】
【０００２】
従来、太陽電池モジュール及び太陽電池モジュールの製造方法としては、例えば特開平１１−２９８０３０号公報に記載されるように、反射光の抑制のために、入射面側の表面に凹凸を設けたカバーガラスを備える太陽電池が知られている。
【先行技術文献】
【特許文献】
【０００３】
【特許文献１】特開平１１−２９８０３０号公報
【特許文献２】特開２０１２−１２４３８６号公報
【発明の概要】
【発明が解決しようとする課題】
【０００４】
しかし、このような太陽電池では、凹凸により入射光が散乱するが、反射光を十分に抑制することができなかった。
【０００５】
そこで、本発明は、反射光を十分に抑制可能な太陽電池モジュール及び太陽電池モジュールの製造方法を提供しようとするものである。
【課題を解決するための手段】
【０００６】
本発明に係る太陽電池モジュールは、電池セルに入射する光により発電する太陽電池モジュールにおいて、電池セルを有するセル組立体の表面、又は電池セルの入射面側に配置された保護材の表面に、入射光をその入射方向と平行な方向へ反射させる再帰性反射面が形成されている。
【０００７】
本発明に係る太陽電池モジュールによれば、再帰性反射面で入射光がその入射方向と平行な方向へ反射されることにより、入射方向と平行以外の方向への反射光を十分に抑制することができる。
【０００８】
本発明に係る太陽電池モジュールの製造方法は、電池セルを有するセル組立体の表面、又は電池セルの入射面側に配置された保護材の表面に、入射光をその入射方向と平行な方向へ反射させる再帰性反射面が形成されている太陽電池モジュールの製造方法において、再帰性反射面を形成するための成形型の成形面に電池材料を所定層数分積層する積層工程と、電池材料を少なくとも１層分積層した後に、硬化した電池材料を成形型から離型する離型工程とを含む。
【０００９】
本発明に係る太陽電池モジュールの製造方法によれば、同一の成形型を用いて太陽電池モジュールを量産することができる。
【発明の効果】
【００１０】
本発明によれば、光の入射方向にかかわらず、入射方向と平行以外の方向への反射光を抑制可能な、太陽電池モジュール及び太陽電池モジュールの製造方法を提供することができる。
【図面の簡単な説明】
【００１１】
【図１】本発明の第１実施形態に係る太陽電池モジュールを示す図である。
【図２】再帰性反射の原理を示す図である。
【図３】図１に示す太陽電池モジュールにおける再帰性反射を示す部分拡大斜視図である。
【図４】本発明の第２実施形態に係る太陽電池モジュールを示す図である。
【図５】図４に示す太陽電池モジュールにおける再帰性反射を示す部分拡大斜視図である。
【図６】本発明の第３実施形態に係る太陽電池モジュールを示す図である。
【図７】図６に示す太陽電池モジュールにおける再帰性反射を示す部分拡大斜視図である。
【図８】本発明の第４実施形態に係る太陽電池モジュールを示す図である。
【図９】図８に示す太陽電池モジュールにおける再帰性反射を示す部分拡大斜視図である。
【図１０】太陽電池モジュールの製造手順を示す断面図である。
【発明を実施するための形態】
【００１２】
以下、添付図面を参照して、本発明の実施形態に係る太陽電池モジュール及び太陽電池モジュールの製造方法を詳細に説明する。なお、図面の説明において同一の要素には同一の符号を付し、重複する説明を省略する。
【００１３】
以下では、図１から図１０を参照して、本発明の実施形態に係る太陽電池モジュールについて説明する。本発明の実施形態に係る太陽電池モジュールは、光の入射方向にかかわらず、入射方向と平行以外の方向への反射光を抑制可能な構成を有するものである。
【００１４】
まず、図１から図３を参照して、本発明の第１実施形態に係る太陽電池モジュールについて説明する。
【００１５】
図１は、本発明の第１実施形態に係る太陽電池モジュールＭ１を示す図である。
【００１６】
図１に示すように、太陽電池モジュールＭ１は、複数の電池ユニットＵｂにより構成される。太陽電池モジュールＭ１は、複数の電池ユニットＵｂをアレイ状に配列してなる。
【００１７】
電池ユニットＵｂは、３つのセル組立体Ａ１、Ａ２、Ａ３により構成される。セル組立体Ａ１、Ａ２、Ａ３は、ａ−ａ断面図に示すように、電池セルＢ、保護材Ｐ、及び一対の電極Ｅを有する。電池セルＢは、平板状に形成され、入射面Ｓｉに入射する光により発電する。保護材Ｐは、平板状に形成され、電池セルＢの入射面Ｓｉに密着して電池セルＢを保護する。一対の電極Ｒは、電池セルＢの入射面Ｓｉと反対側の面に取り付けられる。セル組立体Ｂは、例えば正方形の平板状に形成される。
【００１８】
電池ユニットＵｂは、３つのセル組立体Ａ１、Ａ２、Ａ３を互いに直角に接合して構成される。電池ユニットＵｂは、正方形の平板状のセル組立体Ａ１、Ａ２、Ａ３を互いに直角に接合してコーナーキューブ状に構成される。セル組立体Ａ１、Ａ２、Ａ３は、直接的に接合されてもよく、別材料を介して接合されてもよい。
【００１９】
複数の電池ユニットＵｂは、ユニット中心Ｃｕが同一又はほぼ同一の平面上に位置するように配列される。ユニット中心Ｃｕとは、電池ユニットＵｂを構成する３つのセル組立体Ａ１、Ａ２、Ａ３の３つの頂点が集中する部分である。ユニット中心Ｃｕは、光源側に向けて配置された電池ユニットＵｂにおいて光源から最遠点に位置する。なお、複数の電池ユニットＵｂは、電池ユニットＵｂ同士が接触して配置されてもよく、別材料を介して配置されてもよく、離間して配置されてもよい。
【００２０】
電池ユニットＵｂを構成する３つのセル組立体Ａ１、Ａ２、Ａ３は、電気的に相互結合されて直列回路又は並列回路を構成する。太陽電池モジュールＭ１を構成する複数の電池ユニットＵｂも、電気的に相互結合されて直列回路又は並列回路を構成する。電池ユニットＵｂから取り出された電力は、充電回路等の電子機器を介して二次電池へ蓄電される。
【００２１】
電池ユニットＵｂには、電池ユニットＵｂへ入射する光をその入射方向と平行な方向へ反射させる再帰性反射面がセル組立体Ａ１、Ａ２、Ａ３の表面、つまり反射面Ｒ１、Ｒ２、Ｒ３（図３参照）として形成される。
【００２２】
図２は、再帰性反射の原理を示す図である。ここでは、説明を簡単にするために、第１及び第２の反射面Ｒ１、Ｒ２を互いに直角に接合した２次元の場合を想定する。
【００２３】
光源からの光は、入射角θで第１の反射面Ｒ１に入り、出射角θで第１の反射面Ｒ１から出ることにより、第１の反射面Ｒ１で２θ曲がる。第１の反射面Ｒ１から出た光は、入射角（９０°−θ）で第２の反射面Ｒ２に入り、出射角（９０°−θ）で第２の反射面Ｒ２から出ることにより、第２の反射面Ｒ２で２・（９０°−θ）曲がる。結果的に、光源からの光は、第１及び第２の反射面Ｒ１、Ｒ２で１８０°（＝２θ＋２・（９０°−θ））だけ曲がり、光源の方向へ再帰（回帰）することになる。
【００２４】
このように、２次元の場合には、２つの反射面Ｒ１、Ｒ２を互いに直角に接合することにより、再帰性反射面を構成することができる。そして、３次元の場合には、２次元の場合の原理を拡張し、３つの反射面Ｒ１、Ｒ２、Ｒ３を互いに直角に接合することにより、再帰性反射面を構成することができる。
【００２５】
図３は、図１に示す太陽電池モジュールＭ１における再帰性反射を示す部分拡大斜視図である。
【００２６】
図３に示すように、光源からの光は、電池ユニットＵｂの第１の反射面Ｒ１に入射し、その一部が電池セルＢに吸収されて残りが反射される。第１の反射面Ｒ１で反射した光は、第２の反射面Ｒ２に入射し、その一部が電池セルＢに吸収されて残りが反射される。第２の反射面Ｒ２で反射した光は、第３の反射面Ｒ３に入射し、その一部が電池セルＢに吸収されて残りが反射される。各反射面Ｒ１、Ｒ２、Ｒ３で電池セルＢに吸収された光は、発電に利用される。
【００２７】
ここで、図２で説明した再帰性反射の原理により、第３の反射面Ｒ３での反射方向Ｄｒは、第１の反射面Ｒ１での入射方向Ｄｉと平行かつ逆の方向となり、光源からの光は、光源に向かって再帰的に反射される。これにより、光の入射方向にかかわらず、入射方向Ｄｉと平行以外の方向への反射光を十分に抑制することができる。
【００２８】
つぎに、図４及び図５を参照して、本発明の第２実施形態に係る太陽電池モジュールＭ２について説明する。なお、以下では、第１実施形態と重複する説明を省略する。
【００２９】
図４は、本発明の第２実施形態に係る太陽電池モジュールＭ２を示す斜視図である。
【００３０】
図４に示すように、太陽電池モジュールＭ２は、複数の電池ユニットＵｂ、及び保護パネルＰｐにより構成される。太陽電池モジュールＭ２は、アレイ状に配列された複数の電池ユニットＵｂを保護パネルＰｐにより被覆してなる。
【００３１】
電池ユニットＵｂは、３つのセル組立体Ａ１、Ａ２、Ａ３により構成される。セル組立体Ａ１、Ａ２、Ａ３は、部分断面図ａ−ａに示すように、電池セルＢ及び一対の電極Ｅを有する。電池ユニットＵｂは、３つのセル組立体Ａ１、Ａ２、Ａ３を互いに直角に接合して構成される。
【００３２】
複数の電池ユニットＵｂは、ユニット中心Ｃｕが同一又はほぼ同一の平面上に位置するように配列される。なお、複数の電池ユニットＵｂは、電池ユニットＵｂ同士が接触して配置されてもよく、別材料を介して配置されてもよく、離間して配置されてもよい。
【００３３】
保護パネルＰｐは、平板状に形成され、好ましくは、少なくとも一面に反射防止処理が施される。保護パネルＰｐは、複数の電池ユニットＵｂを保護するように複数の電池ユニットＵｂの入射面Ｓｉ側を被覆する。なお、保護パネルＰｐは、電池ユニットＵｂの配列面と平行に配置されてもよく、傾斜して配置されてもよい。また、保護パネルＰｐは、複数の電池ユニットＵｂと接触して配置されてもよく、接触せずに配置されてもよい。
【００３４】
電池ユニットＵｂには、電池ユニットＵｂへ入射する光をその入射方向と平行な方向へ反射させる再帰性反射面がセル組立体Ａ１、Ａ２、Ａ３の表面、つまり反射面Ｒ１、Ｒ２、Ｒ３（図５参照）として形成される。
【００３５】
図５は、図４に示す太陽電池モジュールＭ２における再帰性反射を示す部分拡大斜視図である。
【００３６】
図５に示すように、光源からの光は、保護パネルＰｐを介して電池ユニットＵｂの第１の反射面Ｒ１に入射し、その一部が電池セルＢに吸収されて残りが反射される。第１の反射面Ｒ１で反射した光は、第２の反射面Ｒ２に入射し、その一部が電池セルＢに吸収されて残りが反射される。第２の反射面Ｒ２で反射した光は、第３の反射面Ｒ３に入射し、その一部が電池セルＢに吸収されて残りが保護パネルＰｐの外部へ向けて反射される。各反射面Ｒ１、Ｒ２、Ｒ３で電池セルＢに吸収された光は、発電に利用される。
【００３７】
ここで、図２で説明した再帰性反射の原理により、第３の反射面Ｒ３での反射方向Ｄｒは、第１の反射面Ｒ１での入射方向Ｄｉと平行かつ逆の方向となり、光源からの光は、光源に向かって再帰的に反射される。これにより、光の入射方向にかかわらず、入射方向と平行以外の方向への反射光を十分に抑制することができる。
【００３８】
第２実施形態に係る太陽電池モジュールＭ２は、電池ユニットＵｂと保護パネルＰｐが別部品として構成されるので、第１実施形態に係る太陽電池モジュールＭ１と比べて製造が容易である。また、第２実施形態に係る太陽電池モジュールＭ２は、保護パネルＰｐの表面での反射が電池ユニットＵｂの表面での反射と比べて弱い場合に好適である。
【００３９】
つぎに、図６及び図７を参照して、本発明の第３実施形態に係る太陽電池モジュールＭ３について説明する。なお、以下では、第１又は第２の実施形態と重複する説明を省略する。
【００４０】
図６は、本発明の第３実施形態に係る太陽電池モジュールＭ３を示す斜視図である。
【００４１】
図６に示すように、太陽電池モジュールＭ３は、複数の保護ユニットＵｐ、及び電池パネルＰｂにより構成される。太陽電池モジュールＭ３は、アレイ状に配列した複数の保護ユニットＵｐにより電池パネルＰｂを被覆してなる。
【００４２】
保護ユニットＵｐは、３つの保護材Ｐ１、Ｐ２、Ｐ３により構成される。保護材Ｐ１、Ｐ２、Ｐ３は、正方形の平板状に形成される。
【００４３】
保護ユニットＵｐは、３つの保護材Ｐ１、Ｐ２、Ｐ３を互いに直角に接合して構成される。保護ユニットＵｐは、正方形の平板状の保護材Ｐ１、Ｐ２、Ｐ３を互いに直角に接合してコーナーキューブ状に構成される。保護材Ｐ１、Ｐ２、Ｐ３は、直接的に接合されてもよく、別材料を介して接合されてもよい。
【００４４】
複数の保護ユニットＵｐは、ユニット中心Ｃｕが同一又はほぼ同一の平面上に位置するように配列される。ユニット中心Ｃｕとは、保護ユニットＵｐを構成する３つの保護材Ｐ１、Ｐ２、Ｐ３の３つの頂点が集中する部分である。ユニット中心Ｃｕは、光源側に向けて配置された保護ユニットＵｐにおいて光源から最遠点に位置する。なお、複数の保護ユニットＵｐは、保護ユニットＵｐ同士が接触して配置されてもよく、別材料を介して配置されてもよく、離間して配置されてもよい。
【００４５】
電池パネルＰｂは、電池セルＥの集合体として平板状に形成され、好ましくは、少なくとも一面に反射防止処理が施される。電池パネルＰｂには、一対の電極Ｅが取り付けられる。電池パネルＰｂは、電池パネルＰｂの入射面Ｓｉ側が複数の保護ユニットＵｐにより被覆される。なお、電池パネルＰｂは、保護ユニットＵｐの配列面と平行に配置されてもよく、傾斜して配置されてもよい。また、電池パネルＰｂは、複数の保護ユニットＵｐと接触して配置されてもよく、接触せずに配置されてもよい。
【００４６】
保護ユニットＵｐには、保護ユニットＵｐへ入射する光をその入射方向と平行な方向へ反射させる再帰性反射面が保護材Ｐ１、Ｐ２、Ｐ３の表面、つまり、反射面Ｒ１、Ｒ２、Ｒ３（図７参照）として形成される。
【００４７】
図７は、図６に示す太陽電池モジュールＭ３における再帰性反射を示す部分拡大斜視図である。
【００４８】
図７に示すように、光源からの光は、保護ユニットＵｐの第１の反射面Ｒ１に入射し、その一部が保護ユニットＵｐを透過して残りが反射される。第１の反射面Ｒ１で反射した光は、第２の反射面Ｒ２に入射し、その一部が保護ユニットＵｐを透過して残りが反射される。第２の反射面Ｒ２で反射した光は、第３の反射面Ｒ３に入射し、その一部が保護ユニットＵｐを透過して残りが反射される。各反射面Ｒ１、Ｒ２、Ｒ３で保護ユニットＵｐを透過した光は、その一部が電池パネルＰｂに吸収されて発電に利用される。
【００４９】
ここで、図２で説明した再帰性反射の原理により、第３の反射面Ｒ３での反射方向Ｄｒは、第１の反射面Ｒ１での入射方向Ｄｉと平行かつ逆の方向となり、光源からの光は、光源に向かって再帰的に反射される。これにより、光の入射方向にかかわらず、入射方向と平行以外の方向への反射光を十分に抑制することができる。
【００５０】
第３実施形態に係る太陽電池モジュールＭ３は、電池パネルＰｂと保護ユニットＵｐが別部品として構成されるので、第１実施形態に係る太陽電池モジュールＭ１と比べて製造が容易である。また、第３実施形態に係る太陽電池モジュールＭ３は、電池パネルＰｂの表面での反射が保護ユニットＵｐの表面での反射と比べて弱い場合に好適である。
【００５１】
つぎに、図８及び図９を参照して、本発明の第４実施形態に係る太陽電池モジュールＭ４について説明する。なお、以下では、第１から第３実施形態と重複する説明を省略する。
【００５２】
図８は、本発明の第４実施形態に係る太陽電池モジュールＭ４を示す斜視図である。
【００５３】
図８に示すように、太陽電池モジュールＭ４は、複数の電池ユニットＵｂ、及び複数の保護ユニットＵｐにより構成される。太陽電池モジュールＭ４は、アレイ状に配列した複数の電池ユニットＵｂを、アレイ状に配列した複数の保護ユニットＵｐにより被覆してなる。電池ユニットＵｂのアレイは、第２の実施形態と同様に構成され、保護ユニットＵｐのアレイは、第３の実施形態と同様に構成される。
【００５４】
電池ユニットＵｂのアレイは、電池ユニットＵｂの入射面Ｓｉ側が保護ユニットＵｐのアレイにより被覆される。なお、電池ユニットＵｂのアレイは、保護ユニットＵｐのアレイと平行に配置されてもよく、傾斜して配置されてもよい。また、電池ユニットＵｂのアレイは、保護ユニットＵｐのアレイに接触して配置されてもよく、離間して配置されてもよい。
【００５５】
保護ユニットＵｐには、保護ユニットＵｐへ入射する光をその入射方向と平行な方向へ反射させる再帰性反射面がセル組立体Ａ１、Ａ２、Ａ３の表面、つまり、反射面Ｒ１、Ｒ２、Ｒ３（図９参照）として形成される。電池ユニットＵｂには、電池ユニットＵｂへ入射する光をその入射方向と平行な方向へ反射させる再帰性反射面が保護材Ｐ１、Ｐ２、Ｐ３の表面、つまり、反射面Ｒ１´、Ｒ２´、Ｒ３´（図９参照）として形成される。
【００５６】
図９は、図８に示す太陽電池モジュールＭ４における再帰性反射を示す部分拡大斜視図である。
【００５７】
図９に示すように、光源からの光は、保護ユニットＵｐの第１の反射面Ｒ１に入射し、その一部が保護ユニットＵｐを透過して残りが反射される。第１の反射面Ｒ１で反射した光は、第２の反射面Ｒ２に入射し、その一部が保護ユニットＵｐを透過して残りが反射される。第２の反射面Ｒ２で反射した光は、第３の反射面Ｒ３に入射し、その一部が保護ユニットＵｐを透過して残りが反射される。
【００５８】
そして、各反射面Ｒ１、Ｒ２、Ｒ３で保護ユニットＵｐを透過した光は、電池ユニットＵｂの第１の反射面Ｒ１´に入射し、その一部が電池セルＢに吸収されて残りが反射される。第１の反射面Ｒ１´で反射した光は、第２の反射面Ｒ２´に入射し、その一部が電池セルＢに吸収されて残りが反射される。第２の反射面Ｒ２´で反射した光は、第３の反射面Ｒ３´に入射し、その一部が電池セルＢに吸収されて残りが反射される反射面Ｒ１´、Ｒ２´、Ｒ３´で電池セルＢに吸収された光は、発電に利用される。
【００５９】
ここで、図２で説明した再帰性反射の原理により、保護ユニットＵｐの第３の反射面Ｒ３での反射方向Ｄｒは、第１の反射面Ｒ１での入射方向Ｄｉと平行かつ逆の方向となり、光源からの光は、光源に向かって再帰的に反射される。同様に、電池ユニットＵｂの第３の反射面Ｒ３´での反射方向は、第１の反射面Ｒ１´での入射方向と平行かつ逆の方向となり、光源からの光は、光源に向かって再帰的に反射される。これにより、光の入射方向にかかわらず、入射方向と平行以外の方向への反射光を十分に抑制することができる。
【００６０】
第４実施形態に係る太陽電池モジュールＭ４は、電池ユニットＵｂと保護ユニットＵｐの両方がコーナーキューブ状に構成されるので、他の実施形態に係る太陽電池モジュールＭ１、Ｍ２、Ｍ３と比べて美観性が向上する。
【００６１】
つぎに、第１、第２又は第３の実施形態に係る太陽電池モジュールＭ１、Ｍ２、Ｍ４の製造方法について説明する。図１０は、太陽電池モジュールＭ１の製造手順を示す断面図である。
【００６２】
図１０（ａ）に示すように、太陽電池モジュールＭ１は、成形型Ｄを用いて製造される。成形型Ｄには、前述した再帰性反射面を形成するための成形面Ｒｆが設けられる。
【００６３】
図１０（ｂ）に示す第１積層工程では、成形型Ｄの成形面Ｒｆに電池材料Ｍｂが所定層数分（図では４層）積層される。電池材料Ｍｂとしては、少なくとも１層の有機系材料が積層される。電池材料Ｍｂとしては、例えば、ｐ型有機半導体、中性有機半導体、ｎ型有機半導体、及びカバー材が積層される。電池材料Ｍｂは、例えば塗布加工又はプレス加工により積層される。
【００６４】
図１０（ｃ）に示す離型工程では、第１積層工程の後に、硬化した電池材料Ｍｂが成形型Ｄから離型される。離型工程は、第１積層工程の途中、つまり、少なくとも１層分の電池材料Ｍｂが積層されて硬化した後に行われてもよい。離型された成形品には、電極Ｅが取り付けられる。
【００６５】
ここで、第１の実施形態に係る太陽電池モジュールＭ１を製造する場合には、離型された成形品に第２積層工程を施すことにより、保護材Ｐを伴う電池ユニットＵｂのアレイを形成することができる。図１０（ｄ）に示す第２積層工程では、電池材料Ｍｂを積層した後に、積層した電池材料Ｍｂの上に保護材料Ｍｐが積層される。
【００６６】
一方、第２又は第４の実施形態に係る太陽電池モジュールＭ２、Ｍ４を製造する場合には、離型された成形品をもって、保護材Ｐを伴わない電池ユニットＵｂのアレイを形成することができる。
【００６７】
このような製造方法によれば、同一の成形型Ｄを用いて太陽電池モジュールＭ１、Ｍ２、Ｍ４を量産することができる。
【００６８】
以上説明したように、本発明の実施形態に係る太陽電池モジュールＭ１、Ｍ２、Ｍ３、Ｍ４によれば、再帰性反射面Ｒ１、Ｒ２、Ｒ３（Ｒ１´、Ｒ２´、Ｒ３´）で入射光がその入射方向Ｄｉと平行な方向Ｄｒへ反射されることにより、入射方向Ｄｉと平行以外の方向への反射光を十分に抑制することができる。これにより、太陽電池モジュールＭ１、Ｍ２、Ｍ３、Ｍ４の近隣で生じる光害を抑制することができる。
【００６９】
なお、前述した実施形態は、本発明に係る太陽電池モジュール及び太陽電池モジュールの製造方法の最良な実施形態を説明したものであり、本発明に係る太陽電池モジュール及び太陽電池モジュールの製造方法は、本実施形態に記載したものに限定されるものではない。本発明に係る太陽電池モジュール及び太陽電池モジュールの製造方法は、各請求項に記載した発明の要旨を逸脱しない範囲で本実施形態に係る太陽電池モジュール及び太陽電池モジュールの製造方法を変形し、または他のものに適用したものであってもよい。
【００７０】
例えば、前述した第１、第２及び第４実施形態では、セル組立体Ａ１、Ａ２、Ａ３を正方形状に形成する場合について説明したが、セル組立体Ａ１、Ａ２、Ａ３は、直角二等辺三角形、長方形、直角三角形等の他の形状に形成されてもよい。同様に、第３及び第４実施形態では、保護材Ｐ１、Ｐ２、Ｐ３を正方形状に形成する場合について説明したが、保護材Ｐ１、Ｐ２、Ｐ３は、直角二等辺三角形、長方形、直角三角形等の他の形状に形成されてもよい。
【００７１】
また、前述した第１から第４実施形態では、互いに直角に接合された３つの反射面Ｓ１、Ｓ２、Ｓ３により再帰性反射面を形成する場合について説明した。しかし、再帰性反射面は、例えば、入射光をその入射方向と平行な方向へ反射させるように電池セル、セル組立体、又は保護材の表面に微細な球状体を多数配列する等、他の構成により形成されてもよい。
【符号の説明】
【００７２】
Ｍ１、Ｍ２、Ｍ３、Ｍ４…太陽電池モジュール、Ｕｂ…電池ユニット、Ａ１、Ａ２、Ａ３…セル組立体、Ｐｂ…電池パネル、Ｂ…電池セル、Ｕｐ…保護ユニット、Ｐ…保護材、Ｐｐ…保護パネル、Ｅ…電極、Ｒ１、Ｒ２、Ｒ３、Ｒ１´、Ｒ２´、Ｒ３´…反射面。
【図１】
2014154831.tif 000003
【図２】
2014154831.tif 000004
【図３】
2014154831.tif 000005
【図４】
2014154831.tif 000006
【図５】
2014154831.tif 000007
【図６】
2014154831.tif 000008
【図７】
2014154831.tif 000009
【図８】
2014154831.tif 000010
【図９】
2014154831.tif 000011
【図１０】
2014154831.tif 000012